(57)【要約】【課題】差分法で測定された走行路面データから、ある基準弦に対する走行路面の絶対形状及びその補修量を算出する車両走行路実形状の算出方法およびその車両走行路の補修量算出方法を提供する。【解決手段】車両走行路実形状の算出方法において、差分法により、連続的に測定された車両の走行路形状データを得て、前記車両の走行路形状データを任意の弦と車両走行路との離れの値に変換し、さらに前記弦を基準とする車両走行路実形状を算出する。【選択図】図１
2007127604.tif 000002
【特許請求の範囲】
【請求項１】
（ａ）差分法により、連続的に測定された車両の走行路形状データを得て、
（ｂ）前記車両の走行路形状データを任意の弦と車両走行路との離れの値に変換し、
（ｃ）さらに前記弦を基準とする車両走行路実形状を算出することを特徴とする車両走行路実形状の算出方法。
【請求項２】
請求項１記載の車両走行路実形状の算出方法において、前記車両が鉄道車両であり、前記走行路が鉄道線路であることを特徴とする車両走行路実形状の算出方法。
【請求項３】
（ａ）差分法により、連続的に測定された車両の走行路形状データを得て、
（ｂ）前記車両の走行路形状データを任意の弦と車両走行路との離れの値に変換し、
（ｃ）さらに前記弦を基準とする車両走行路実形状を算出し、
（ｄ）同様な方法により車両走行路の設計形状を算出し、
（ｅ）前記（ｃ）及び前記（ｄ）に基づいて車両走行路形状を設計値に復するための補修量を算出することを特徴とする車両走行路の補修量算出方法。
【請求項４】
請求項３記載の車両走行路実形状の算出方法において、前記車両が鉄道車両であり、前記走行路が鉄道線路であることを特徴とする車両走行路の補修量算出方法。
【発明の詳細な説明】
【技術分野】
【０００１】
本発明は、車両走行路実形状の算出方法およびその車両走行路の補修量算出方法に関するものである。
【背景技術】
【０００２】
本発明は、車両走行路管理用のデータ取得方法に関わり、特に、鉄道線路の形状を管理し補修するための、差分法による線路形状測定データからある基準弦に対する形状を知るために必要となる、車両走行路管理用のデータ取得方法に関するものである。
【０００３】
一般に、鉄道線路や道路の走行路面形状は差分法によって測定される、一例として２階差分法による測定方法を図３に示す。
【０００４】
この方法では、長さｃの弦を線路に沿って移動しながら、この弦の途中の点〔図３（ａ）の○の位置〕における走行路と弦との相対変位を連続的に測定する〔図３（ｂ）〕のｘ1 ，…，ｘM ，…，ｘN ）。このような測定は、通常軌道検測車（図４参照）と呼ばれる特別の車両や、これと同等の原理による簡易な軌道検測装置によって行われる。
【０００５】
この方法は、弦の両端と測定点との相対変位を測定しているだけなので、この測定値ｘ1 ，…，ｘM ，…，ｘN そのものは、地上の固定点から見た走行路面の絶対形状（図３（ａ）、図３（ｂ）の黒太線）を示してはいない。
【０００６】
この方法によって得られる走行路データは、数学的には走行路形状の２階微分と等価であるので、走行路形状の善し悪しの評価に用いることは不可能ではなく、現に多くの鉄道線路や走行路面（アスファルト面など）の形状の評価に、この２階微分の値が用いられている。
【特許文献１】なし
【発明の開示】
【発明が解決しようとする課題】
【０００７】
しかしながら、このような走行路面の管理、特に補修にあたっては絶対形状のデータが必要となることがある。例えば、鉄道軌道の場合、走行路面の著大な凹凸の補修はレールの移動によって行うが、このためには任意の地点におけるレールの移動量を求める必要がある。しかし前述の通り、一般に行われている走行路面の測定で得られるデータは、走行路形状の２階微分であるので、このデータからレールの移動量を直接算出することはできない。
【０００８】
かかる状況に対し、ディジタルフィルタによって軌道の実形状を求める手法が開発されている。しかし、この方法は、一種のバンドパスフィルタ処理であるため、ある特定の周波数帯域の軌道形状しか求めることができない。したがって、例えば短い曲線区間において、曲線線形そのものが崩れた箇所のレール移動量の算出を、この方法で行うことはできない。
【０００９】
本発明は、上記状況に鑑みて、差分法で測定された走行路面データから、ある基準弦に対する走行路面の絶対形状及びその補修量を算出する車両走行路実形状の算出方法およびその車両走行路の補修量算出方法を提供することを目的とする。
【課題を解決するための手段】
【００１０】
〔１〕車両走行路実形状の算出方法において、差分法により、連続的に測定された車両の走行路形状データを得て、前記車両の走行路形状データを任意の弦と車両走行路との離れの値に変換し、さらに前記弦を基準とする車両走行路実形状を算出することを特徴とする。
【００１１】
〔２〕上記〔１〕記載の車両走行路実形状の算出方法において、前記車両が鉄道車両であり、前記走行路が鉄道線路であることを特徴とする。
【００１２】
〔３〕車両走行路の補修量算出方法において、（ａ）差分法により、連続的に測定された車両の走行路形状データを得て、（ｂ）前記車両の走行路形状データを任意の弦と車両走行路との離れの値に変換し、（ｃ）さらに前記弦を基準とする車両走行路実形状を算出し、（ｄ）同様な方法により車両走行路の設計形状を算出し、前記（ｃ）及び前記（ｄ）に基づいて車両走行路形状を設計値に復するための補修量を算出することを特徴とする。
【００１３】
〔４〕上記〔３〕記載の車両走行路実形状の算出方法において、前記車両が鉄道車両であり、前記走行路が鉄道線路であることを特徴とする。
【発明の効果】
【００１４】
一般的に行われている、差分法による走行路形状データでは、走行路形状の凹凸の良し悪しの評価は可能であるが、これを具体的な補修に結びつけることができない。これに対し、本発明を用いることによって、各地点において補修に必要な値、たとえば鉄道線路の場合、その形状を設計状態に復するために必要となる、各地点におけるレールの移動量を知ることが可能となり、より合理的な鉄道線路や車両走行路の管理が可能となる。
【発明を実施するための最良の形態】
【００１５】
本発明の車両走行路実形状の算出方法は、差分法により、連続的に測定された車両の走行路形状データを得て、前記車両の走行路形状データを任意の弦と車両走行路との離れの値に変換し、さらに前記弦を基準とする車両走行路実形状を算出する。
【実施例】
【００１６】
以下、本発明の実施の形態について詳細に説明する。
【００１７】
図１は本発明の実施例を示す走行路形状と基準弦との関係を示す図、図２は、特に測定弦長ｃ＝２ａ（すなわちａ＝ｂ）であり、かつ基準弦の弦長Ｌがａの整数倍である場合を示している。
【００１８】
従来例で示した図３に示すような差分法によって測定される走行路面データと、実際の走行路面形状との関係は伝達関数の形で表される。図３（ａ）に示す２階差分の場合、角周波数をωとすると、伝達関数Ｈ（ω）は式（１）で表されることが知られている。
【００１９】
【数１】
2007127604.tif 000003
次に、このような差分法によるデータから走行路の実形状を算出する方法について説明する。走行路の実形状を算出する場合、例えば緯度経度のような地球に対する絶対的な位置を示す必要はなく、実際の管理に用いる基準との相対的な位置がわかれば実用上は十分である。走行路は線状構造物であるので、このような基準は弦であるのが望ましく、さらにはこのような基準弦はその両端が走行路上にあっても良い。
【００２０】
よって、ここでは、図１に示すように、走行路上に両端がある長さＬの基準弦（図１の２重線）と、この中間にある走行路の各位置との相対距離（図２のｙ1 ，ｙ2 ，…，ｙM ，…，ｙN-1 ，ｙN ）を算出することを考える。
【００２１】
ここで図１と図３（ａ）を比較すると、例えば、図１のｙ2 は図３（ａ）でａ＝ｐ2 ，ｂ＝ｑ2 とした場合の２階差分の値と等しい。前述の通り、走行路形状の測定は図３（ａ）に示す２階差分で行われている。２階差分から２階差分への変換は、両者の伝達関数が既知であれば演算可能である。具体的には、図２のｙ2 の場合、図３（ａ）に示す２階差分によって測定された走行路形状データのフーリエ変換をＸ（ω）とすれば、ａ＝ｐ2 ，ｂ＝ｑ2 とした場合の波形のフーリエ変換Ｙ（ω）が以下に示す式（２）から算出できる。
【００２２】
【数２】
2007127604.tif 000004
したがって、走行路形状データが、図３（ａ）に示す２階差分によって走行路に沿って連続的に得られていれば、上記式（２）のＹ（ω）を逆フーリエ変換することで、図１のｙ2 を演算で求めることが可能である。
【００２３】
なお、図３（ａ）でａ＝ｂ（このような場合を「正矢」という。）で、ｐ，ｑがａの整数倍である場合は、図１は図２となるので、上記の演算は以下に示す式（３）のように簡略化される。
【００２４】
【数３】
2007127604.tif 000005
上記式（２）、式（３）のいずれの方法によっても、ｐ＋ｑ＝Ｌの条件下でｐとｑの比を変えながら各点の２階差分の値ｙM を求めることができれば、長さＬの基準弦に対する、走行路上の各点の離れｙ1 ，ｙ2 ，…，ｙM ，…，ｙN-1 ，ｙN の連続的な算出が可能である。
【００２５】
なお、上述した例でｙ1 ，ｙ2 ，…，ｙN-1 ，ｙN は変位として算出されるが、基準弦に対する角度として出力することも可能である。
【００２６】
算出したｙ1 ，ｙ2 ，…，ｙN-1 ，ｙN をもとに、走行路の変位を０とするためのレール保守量（移動量）を算出するには、基準弦に対する走行路の設計形状（図１の点線）の形状をあらかじめ算出しておき、これとｙ1 ，ｙ2 ，…，ｙN-1 ，ｙN との差を求めれば良い。
【００２７】
なお、本発明は上記実施例に限定されるものではなく、本発明の趣旨に基づいて種々の変形が可能であり、これらを本発明の範囲から排除するものではない。
【産業上の利用可能性】
【００２８】
本発明の車両走行路管理用のデータ取得方式は、差分法による走行路形状測定データから、走行路の実形状を算出し、鉄道線路や車両走行路などの管理のためのデータを得るのに好適である。
【図面の簡単な説明】
【００２９】
【図１】本発明の実施例を示す走行路形状と基準弦との関係を示す図である。
【図２】本発明の実施例を示す走行路形状と基準弦との関係、特に測定弦長ｃ＝２ａ（すなわちａ＝ｂ）かつ基準弦の弦長Ｌがａの整数倍である場合を示している。
【図３】従来の２階差分法によって測定される走行路面データを示す図である。
【図４】従来の軌道検測車を示す図である。
【図１】
2007127604.tif 000006
【図２】
2007127604.tif 000007
【図３】
2007127604.tif 000008
【図４】
2007127604.tif 000009